(57)【要約】      （修正有）【課題】接地した際に荷箱が良好に移動することができる接地ローラを備えた貨物自動車とする。【解決手段】後傾及び後方移動される荷箱１を前後に延びた車枠２上に備えた貨物自動車１００において、前記荷箱１の床板１ａ後端縁に垂設されたテールパネル６は、当該床板１ａに設けられて下方に延びる支持部８に支持されており、前記支持部８には、車両幅方向を軸方向とするローラ７が設けられ、当該ローラ７は、少なくともその一部が前記テールパネル６よりも下方に突出している構成とする。【選択図】図１
2014124963.tif 000002
【特許請求の範囲】
【請求項１】
後傾及び後方移動される荷箱を前後に延びた車枠上に備えた貨物自動車において、
前記荷箱の床板後端縁には下方に延びた複数本の支持部が並設されており、
前記支持部は、前記荷箱の床板後端縁に垂設されたテールパネルを補強する補強部と、ローラが接続された接続部との少なくとも一方を有し、
当該ローラは、少なくともその一部が前記テールパネルよりも下方に突出している
ことを特徴とする貨物自動車。
【請求項２】
前記テールパネルはテールランプよりも下側まで垂下した形状を有する
ことを特徴とする請求項１に記載の貨物自動車。
【請求項３】
前記ローラはテールランプの下方に設けられている
ことを特徴とする請求項１に記載の貨物自動車。
【請求項４】
前記ローラは少なくとも２本の前記支持部に架設された構成を有する
ことを特徴とする請求項１から３のいずれかに記載の貨物自動車。
【発明の詳細な説明】
【技術分野】
【０００１】
本発明は、後傾及び後方移動される荷箱が備えられた貨物自動車に関する。
【背景技術】
【０００２】
車両前後方向に延伸する車枠上に搭載され、かつ後傾及び後方移動される荷箱を備えた貨物自動車は、荷台の前方が持ち上げられて土砂等の荷台積載物を排出（ダンプ）する排出作業と、建設機械や農業機械等を荷台に積み込んで運搬する運搬作業を兼用することができる（特許文献１）。
【０００３】
上記の運搬作業を行う場合、図４（ａ）のように荷箱９０を車両後方に移動させて後傾した状態にする。荷箱９０の後端には、荷箱９０の下方に接地ローラ９２が設けられている。荷箱９０が後傾状態の際、接地ローラ９２が地面に接する（特許文献２）。なお、接地ローラ９２は下伸ステー９１を介して設けられており、下伸ステー９１は、接地ローラ９２を取り付けるために荷箱９０の床板９０ａに設けられている。
【先行技術文献】
【特許文献】
【０００４】
【特許文献１】特開２０１１−２３０６５３号公報
【特許文献２】特開２０１２−１４８６５４号公報
【発明の概要】
【発明が解決しようとする課題】
【０００５】
上記の接地ローラ９２は、荷箱９０の接地時の衝撃を緩和する効果を備えてはいるが、接地状態における荷箱９０の良好な移動に関しては未だ改善の余地がある。
【０００６】
荷箱９０が接地するとき接地ローラ９２によって支持され、接地ローラ９２は荷箱９０及び荷箱９０に積み込まれた建設機械等の荷重を受ける。そのため、図４（ｂ）に示す接地ローラ９２の幅Ｗ９２が大きいほど地面に対する単位面積当たりの圧力が小さくなり、接地ローラ９２の沈み込み量も小さくなる。その結果、荷箱９０を前後に移動させる際に接地ローラ９２は転動しやすくなる。特に、上記の貨物自動車は建設機械を運搬することが多く、その積みおろしは不整地で行われる。また、軟質土壌で行われることも予想される。
【０００７】
そこで、幅Ｗ９２が大きな接地ローラ９２を備えた荷箱９０としたいが、接地ローラ９２はテールランプ９３に隣接した位置に設けられているために、幅Ｗ９２を大きくするとテールランプ９３の視認性を阻害してしまう。また、下伸ステー９１をテールランプ９３から離れた位置に移動させようとしても、近傍にはバンパ９４を吊下するバンパステー９４ａ等が設けられている。つまり、接地ローラ９２の設置スペースは制限されており、簡単に設置変更することはできない。
本発明は、上記課題に鑑みてなされており、接地した際に荷箱が良好に移動することができる接地ローラを備えた貨物自動車を提供する。
【課題を解決するための手段】
【０００８】
後傾及び後方移動される荷箱を前後に延びた車枠上に備えた貨物自動車において、前記荷箱の床板後端縁には下方に延びた複数本の支持部が並設されており、前記支持部は、前記荷箱の床板後端縁に垂設されたテールパネルを補強する補強部と、ローラが接続された接続部との少なくとも一方を有し、当該ローラは、少なくともその一部が前記テールパネルよりも下方に突出している貨物自動車とする。
前記テールパネルはテールランプよりも下側まで垂下した形状を有する。
また、前記ローラはテールランプの下方に設けられている構成として良い。
そして、前記ローラは少なくとも２本の前記支持部に架設された構成を有するとしても良い。
【発明の効果】
【０００９】
本発明に係る貨物自動車のように、テールパネルを支持する支持部にローラを設け、ローラがテールパネルよりも下側に突出する構成とすると、テールランプの視認性を阻害することもない。また、ローラの幅を所望する大きさに設定することができ、ローラは良好に転動する。
テールパネルを支持して下側に延びる支持部の長さを大きくすれば、そのローラをテールランプよりも低い位置に設けることができる。
【００１０】
また、テールパネルを支持する支持部を介してローラが設けられているので、荷箱床板にローラ取り付け用の下伸ステーを別途設ける必要もなく、部品点数、重量及びコストを抑制する上で効果的である。
【００１１】
そして、上記の支持部によって、ローラを荷箱の後端部に位置することができる。この支持部は、荷箱の最後端に位置する。ローラの少なくとも一部がテールパネルから突出していれば、テールパネルが地面に接触することを回避できる。つまり、テールパネルの損傷を防止できる。
以上のように本発明の構成によれば、テールパネルの一定の強度を維持するための支持部を活用して多くの効果を得ることができる。
【図面の簡単な説明】
【００１２】
【図１】本発明に係る貨物自動車の作動状態を示す模式側面図である。
【図２】本発明に係る貨物自動車の後面図、同自動車のテールパネルの要部後面図、同自動車の後傾状態における荷箱後部を示す要部側面図である。
【図３】本発明に係る別実施形態を示すテールパネルの要部後面図である。
【図４】従来の貨物自動車の構成を示す側面図及び後面図である。
【発明を実施するための形態】
【００１３】
本発明に係る実施形態の一例に関して、図面を用いて説明する。
【００１４】
図１は、本実施例に係る貨物自動車１００を示す側面図である。貨物自動車１００は、図１（ａ）のように水平状態の荷箱（一点鎖線部）１を車両後方で傾斜状態（実線部）として建設機械２００を積み込んで運搬する運搬作業を行うタイプと、図１（ｂ）のように水平状態の荷箱（一点鎖線部）１の前方側を大きく持ち上げ、荷台に積まれた土砂等を車両後方に排出する作業を行うタイプとを兼用したものである。
【００１５】
貨物自動車１００は、車枠２上において、車枠２の後端にヒンジシャフト(不図示)で枢支されたダンプフレーム３を介して荷箱１が搭載されている。荷箱１は、後方に上開き（図１（ａ））又は下開き（図１（ｂ））が可能なテールゲート４を備えている。荷箱１と車枠２の間にはスライド傾動装置１０が配されており、当該装置によって荷箱１は運搬作業用もしくは排出作業用として機能する。スライド傾動装置１０は、ダンプフレーム３と、車枠２とダンプフレーム３の間に配されたダンプシリンダ１０ａと、ダンプフレーム３と荷台との間に配されたスライドシリンダ（不図示）とを備えている。建設機械２００の運搬作業時には、スライドシリンダを伸長させて荷箱１をダンプフレーム３に沿って後方にスライドさせ、荷箱１が図１（ａ）のように傾斜される。このとき、テールゲート４は下方のヒンジ部５ａを中心して上開きさせておく。荷箱１が図１（ａ）のように接地する際、荷箱１の後端でその下方に設けられたローラ７が接地し、ローラ７を介して荷箱１や建設機械２００の荷重が支持される。一方、土砂等の排出作業時には、ダンプシリンダ１０ａを伸長させて荷箱１を図１（ｂ）のように傾斜させ、テールゲート４は自重で上方のヒンジ部５ｂを中心に下開きする。
次に、ローラ７の取り付けに関する構成について説明する。
【００１６】
図２（ａ）は、貨物自動車１００の後面図である。図示のとおり、ローラ７は左右にそれぞれ１つずつ設けられており、その一部がテールパネル６の下端から突出した状態となっている。
【００１７】
テールパネル６は荷箱１の後端縁において、床板（不図示）に対して垂下した状態で設けられ、車両幅方向を長手方向とした略矩形状のパネル部材である。テールパネル６の左右には矩形状の切り欠き部６ａが設けられ、この切り欠き部６ａを通してテールランプ９が後方から視認できるように設けられている。テールパネル６よりも下側にはバンパステー１１ａが延びており、バンパステー１１ａの先端にはバンパ１１が固定されている。なお、バンパステー１１ａは車枠２（図１（ａ）参照）にそれぞれ連結支持されている。
【００１８】
テールパネル６は、図１（ｂ）の拡大図及び図２（ｂ）で示す支持部８（車両幅方向に並設された複数本の支持部８１、８２、８３、・・・からなる）で支持されている。図２（ｂ）は図２（ａ）のテールランプ９付近の拡大図であり、説明の便宜上、下部ヒンジ５ａ等は省略されている。支持部８は、テールパネル６の裏面（図２（ｂ）で示される面の反対面）に接した状態で荷箱１の床板に固定された鉄製の縦骨材である。具体的には、支持部８は角型形状を有し、テールパネル６と対向して当接する部分を補強部８１０ａとしている。この補強部８１０ａを介して支持部８はテールパネル６に溶接固定されている。そして、テールパネル６は支持部８によって一定の強度を備えており、荷箱１が地面に接するように後傾状態となった際の衝撃や土または石などによるテールパネル６の変形が防止される。なお、図示するような複数本の支持部８は車両幅方向に沿って並設されている。
【００１９】
ローラ７は、複数の支持部８１、８２、８３、・・・のうち、左側２本の支持部８１、８２の間と、右側２本の支持部（不図示）の間にそれぞれ１つずつ設けられており、左側の支持部８１、８２を代表例として説明する。
【００２０】
２本の支持部８１、８２は、テールランプ９を挟むようにして設けられており、それぞれの先端にはブラケット８１ａ、８２ａが固定されて、当該ブラケット８１ａ、８２ａを介してローラ７が支持されている。つまり、ローラ７は、車両幅方向を軸方向として２本の支持部８１、８２に架設された状態となっている。したがって、２本の支持部８１、８２は他の支持部８３等と異なり、テールパネル６を支持する補強部８１０ａ、８２０ａだけでなく、ローラ７が接続された接続部８１０ｂ、８２０ｂも有している。なお、図示するように、ローラ７はテールランプ９の下方に位置し、テールランプ９の幅と同等の幅Ｗ１を有し、テールパネル６の下端から高さＨ１だけ突出した状態となっている。
【００２１】
テールパネル６を支持する支持部８を用いてローラ７が設けられているので、ローラ７を取り付けるための下伸ステーを床板に別途設ける必要がなく、部品点数、重量及びコストの削減につながる。
【００２２】
支持部８をテールランプ９よりも低い位置まで延ばした構成とすることで、テールランプ９と隣り合わせにならない。そのため、テールランプ９の下方のスペースを利用して、ローラ７の幅を図示するようなＷ１の大きさとしてもテールランプ９の視認性を阻害することがない。なお、この幅Ｗ１は、荷箱１の接地時にローラ７が受ける荷重の単位面積当たりの大きさを小さくするために、大きいほうが望ましい。ローラ７の単位面積当たりの荷重が小さい方が地面に対するローラ７の沈み込み量が小さくなって、ローラ７が転動し易くなるためである。この効果は、地面が不整地、特に軟質土壌である場合には顕著に現れる。また、幅Ｗ１を大きくしてこの効果を得ることができるために不要にローラ７を拡径化することがないので、ローラ７が設置されるスペースが制限されていてもそのスペースを有効に利用できる。同等の効果が得られる場合には、２本の支持部８１、８２に挟まれるようにローラ７が設けられる構成には限定されず、指示部８１、８２の設置領域を超える幅Ｗ１としても良い。また、他の部材との干渉を避けることが可能な場合には、３本以上の支持部８１、８２、８３、・・・にローラ７が取り付けられた構成としても良い。
【００２３】
支持部８の長さに合わせてテールパネル６は図示する大きさとし、ローラ７の一部のみが後方から視認できる。テールパネル６の面積が大きい場合、ローラ７やその他の支持部材が隠され、煩雑な美観を緩和する効果を奏する。また、ローラ７は荷箱１の荷重を支持するとともに、荷箱１を前後に移動させるために図示のように高さＨ１だけ露出していれば良好に転動でき、ローラ７の性能が低下することもない。
【００２４】
また、テールパネル６が高さＨを有する形状となるため、テールランプ９が設置されている部分を除いた領域に反射板等を設置して周囲への安全性を高めるようにすることもできる。
さらに、本実施形態に係るローラ７の取り付けによって、次の効果も備える。
【００２５】
支持部８は、テールパネル６を支持するため、荷箱１の後端に設けられているので、高さＨの大きさを有するテールパネル６の下端部６ａに接するような近傍にローラ７を設けることができる。そこで、図２（ｃ）のように矢印Ａ１だけ車両前方に移動した位置に別に下伸ステーが設けられてその先端にローラが取り付けられる場合（一点鎖線部７０）と比較すると、本実施形態のように支持部８に取り付けられたローラ７の方が、荷箱１が後傾状態においてローラ７の接地面が高さＨ２だけ低くなる。つまり、荷箱１が水平状態（図２（ａ）参照）のような場合に、単に車両後方から見たローラ７の突出高さＨ１が同じであっても、荷箱１を後傾させて作業する際には、本実施形態の構成とすることで荷箱１の損傷防止や良好な移動（ローラ７の良好な転動）の面で大きな効果がある。
以上の構成及び効果を有する荷箱１だが、図３のような別の実施形態の構成としても良い。
【００２６】
図３（ａ）のように、左側２本の支持部８１１、８１２の間にテールランプ９が挟まれつつ、テールパネル６１１はテールランプ９より上側だけに設けられた構成とする。
【００２７】
この場合、２本の支持部８１１、８１２は後面のうちテールパネル６１１と当接する部分が補強部となり、下端部分がローラ７との接続部となる。テールパネル６１１の下端部は上述の実施形態（図２参照）よりも高い位置となるので、荷箱を接地させる際のテールパネル６１１の損傷防止の効果が高まる。また、別の支持部８１３等の長さを短くすることができるので、荷箱全体の軽量化につながる。
【００２８】
また、図３（ｂ）のように、高さの異なる部位６２１ａ、６２１ｂと有するテールパネル６２１にしても良い。高さＨ２１の部位６２１ａによってローラ７の一部のみが後方から視認できる状態とすることができる。高さＨ２２の部位６２１ｂのように面積を小さくし、他の支持部の長さを短くすることで、荷箱全体の軽量化につながる。
【００２９】
さらに、図３（ｃ）のように、支持部８３１、８３２、８３３、・・・の先端にそれぞれローラ７３１、７３２、７３３、・・・を取り付けた構成としても良い。つまり、支持部８３１、８３２、８３３、・・・はいずれもテールパネル６３１を補強する補強部と、ローラ７３１、７３２、７３３、・・・を接続する接続部とを備えている。この場合、各ローラ７３１、７３２、７３３、・・・の幅が図２のようなローラ７の幅Ｗ１より小さくても、ローラ７３１、７３２、７３３、・・・の数によりローラ７３１、７３２、７３３、・・・全体の接地面積が所望する程度に達するように設定することで、荷箱が接地した際に良好に各ローラ７３１、７３２、７３３、・・・が転動する状態にできる。もちろん、図２のように２本の支持部に架設されたローラ７と１本の支持部に取り付けられたローラ７３３等を組み合わせた構成としても良い。
【００３０】
その他、図３（ｄ）のように、支持部８４１、８４２、８４３、・・・のうちの一部は、ローラを接続する接続部を備えているが、テールパネル６４１を補強する補強部を備えていない構成としても良い。舞台的には、左端の支持部８４１はテールパネル６４１と当接していないがローラ７が接続された構成となっている。その右隣りの８４２は補強部８４２ａと接続部８４２ｂのいずれも有している。こうした構成により、テールパネル６４１の大きさを必要最小限に適宜設定でき、車両軽量化にも役立つ。
【００３１】
以上のように、支持部、テールパネル、ローラの大きさ等に関しては適宜変更可能である。また、支持部については、さらにテールパネルと当接していてもテールパネルの補強用ではなく、ローラ接続用の機能を発揮するように設けられた構成としても良い。
【００３２】
なお、ローラの形状に関しては図示のような円筒形状だけでなく、接地面が湾曲して凹凸した地面等に対応できる形状などでも構わない。ローラの軸方向に関しても、荷箱の後方移動が良好に行われるようにするために、車両幅方向から僅かに外れるように設定しても構わない。また、ローラの軸方向に関しても車両幅方向と同一方向として説明したが、これに限定されない。軸方向が車両幅方向から僅かに外れた構成としても良いし、球形状のローラを用いる場合など、車両前後方向を軸方向にすることができる構成であっても同様の効果を得ることができるため適用可能である。
【産業上の利用可能性】
【００３３】
本発明によれば、上述した貨物自動車だけでなく、車枠上に搭載された荷箱や車両運搬するために車枠上に搭載された荷台などであって、これらの荷箱や荷台が地面に下ろすことが可能な構成を備える車両にも有用である。
【符号の説明】
【００３４】
１                            荷箱
１ａ                          床板
２                            車枠
３                            ダンプフレーム
４                            テールゲート
５ａ                          下方ヒンジ部
５ｂ                          上方ヒンジ部
６                            テールパネル
７                            ローラ
８                            支持部
９                            テールランプ
１１                          バンパ
１１ａ                        バンパステー
１００                        貨物自動車
２００                        建設機械
８１０ａ、８２０ａ、８３０ａ  補強部
８１０ｂ、８２０ｂ            接続部
【図１】
2014124963.tif 000003
【図２】
2014124963.tif 000004
【図３】
2014124963.tif 000005
【図４】
2014124963.tif 000006